(57)【要約】【課題】回路基板の再利用を抑制することができる回路ユニット、及び電池パックを提供する。【解決手段】回路基板２１を収容する容体２２と、容体２２を閉塞する蓋体２３とを備えた。また、回路基板２１は、略線状に回路基板２１の強度が低下された部分であるミシン目１７を備えた。そして、容体２２は、回路基板２１におけるミシン目１７からみて一方の側と係合する係合部２０１〜２０５を備え、蓋体２３は、回路基板２１におけるミシン目１７からみて他方の側と係合する係合部２０６を備えた。【選択図】図２
2007165453.tif 000002
【特許請求の範囲】
【請求項１】
所定の回路が形成された回路基板と、
前記回路基板を収容すると共に前記回路基板を搬入するための開口部が形成された容体と、
前記開口部を閉塞する蓋体とを備え、
前記回路基板は、略線状に設けられると共に当該略線状の部分の両側よりも強度が低下された部分である第１の破断容易部を備え、
前記容体は、前記回路基板における前記第１の破断容易部からみて一方の側を係止する第１の係止部を備え、
前記蓋体は、前記回路基板における前記第１の破断容易部からみて他方の側を係止する第２の係止部を備えること
を特徴とする回路ユニット。
【請求項２】
前記第１の破断容易部は、前記回路を構成する配線を横切って形成されていること
を特徴とする請求項１記載の回路ユニット。
【請求項３】
前記回路基板は、前記回路基板の一部を前記第１の破断容易部との間に挟むように略線状に設けられると共に当該略線状の部分の両側よりも強度が低下された部分である第２の破断容易部をさらに備え、
前記第１及び第２の係止部のうち一方は、前記回路基板における前記第１の破断容易部と前記第２の破断容易部とに挟まれた領域で前記回路基板を係止し、
前記第１及び第２の係止部のうち他方は、前記回路基板における、前記第１の破断容易部を挟んで前記領域とは反対側の部分、及び前記第２の破断容易部を挟んで前記領域とは反対側の部分で前記回路基板を係止すること
を特徴とする請求項１又は２記載の回路ユニット。
【請求項４】
前記第２の破断容易部は、前記回路を構成する配線を横切って形成されていること
を特徴とする請求項３記載の回路ユニット。
【請求項５】
前記第１の破断容易部は、複数の孔がミシン目状に形成されたものであること
を特徴とする請求項１〜４のいずれかに記載の回路ユニット。
【請求項６】
前記第１の破断容易部は、当該第１の破断容易部の両側よりも前記回路基板の厚みが減少されたものであること
を特徴とする請求項１〜４のいずれかに記載の回路ユニット。
【請求項７】
請求項１〜６のいずれかに記載の回路ユニットを用いた電池パックであって、
二次電池をさらに備え、
前記回路は、前記二次電池の充電及び／又は放電を行うこと
を特徴とする電池パック。
【発明の詳細な説明】
【技術分野】
【０００１】
本発明は、筐体内に回路基板が収容された回路ユニット、及びこのような回路ユニットが二次電池を備えて構成された電池パックに関するものである。
【背景技術】
【０００２】
近年、ノートパソコンや携帯電話等の電器機器において広く使用されている電池パックは、二次電池の状態を監視し、二次電池を過充電や過放電等から保護する制御回路を備えている。ここで、電池パックは二次電池が寿命に到達すると使用することができなくなるが、制御回路は寿命に到達していないケースが多い。そこで、特許文献１では、使用済みの電池パックが備える回路保護基板の電池保護機能の良否を判定し、保護回路基板が電池保護機能を保持している場合は、この保護回路基板に対して新たな二次電池を取り付け、電池パックをリサイクルする電池の製造方法が開示されている。
【特許文献１】特開２００３−９２１５２号公報
【発明の開示】
【発明が解決しようとする課題】
【０００３】
しかしながら、電池パックの製造元に許可無く二次電池を交換する不正なリサイクル業者も多く存在し、このような業者によって電池パックの二次電池が交換されると、粗悪な二次電池が取り付けられる可能性が高く、粗悪な電池パックが市場に流通するおそれがあるという不都合があった。
【０００４】
また、電池パックのように、ケースに回路基板が収容された回路ユニットにおいては、例えばリサイクル業者が古くなって汚れた回路ユニットのケースを分解し、内部の回路基板だけを取り出して新たなケースに収容し、再び市場に流通させるおそれがある。しかし、回路ユニットの製造者による品質管理が及ばないところでこのように古くなった回路基板が再利用されると、品質の劣化した回路ユニットが市場に流通するおそれがあるという不都合があった。
【０００５】
本発明は、このような問題に鑑みて為された発明であり、回路基板の再利用を抑制することができる回路ユニット、及び電池パックを提供することを目的とする。
【課題を解決するための手段】
【０００６】
本発明に係る回路ユニットは、所定の回路が形成された回路基板と、前記回路基板を収容すると共に前記回路基板を搬入するための開口部が形成された容体と、前記開口部を閉塞する蓋体とを備え、前記回路基板は、略線状に設けられると共に当該略線状の部分の両側よりも強度が低下された部分である第１の破断容易部を備え、前記容体は、前記回路基板における前記第１の破断容易部からみて一方の側を係止する第１の係止部を備え、前記蓋体は、前記回路基板における前記第１の破断容易部からみて他方の側を係止する第２の係止部を備えることを特徴としている。
【０００７】
この構成によれば、回路基板が収容された容体が蓋体によって閉蓋された状態、すなわち回路ユニットが組み立てられた状態では、容体は、第１の係止部によって回路基板における第１の破断容易部からみて一方の側を係止する。また、蓋体は、第２の係止部によって回路基板における第１の破断容易部からみて他方の側を係止する。そして、容体から蓋体を取り外すと、回路基板における第１の破断容易部からみて一方の側は第１の係止部によって容体の方向に引っ張られ、回路基板における第１の破断容易部からみて他方の側は第２の係止部によって蓋体の方向に引っ張られる。そうすると、回路基板の強度が低下されている第１の破断容易部の両側で、回路基板に異なる方向に力が加えられる結果、第１の破断容易部で回路基板が破断するので、回路基板の再利用を抑制することができる。
【０００８】
また、上述の回路ユニットにおいて、前記第１の破断容易部は、前記回路を構成する配線を横切って形成されていることを特徴としている。
【０００９】
この構成によれば、容体から蓋体を取り外すと、回路を構成する配線を横切って回路基板が破断するので、回路基板は電気的に動作しない状態となり、回路基板の再利用を抑制することができる。
【００１０】
また、上述の回路ユニットにおいて、前記回路基板は、前記回路基板の一部を前記第１の破断容易部との間に挟むように略線状に設けられると共に当該略線状の部分の両側よりも強度が低下された部分である第２の破断容易部をさらに備え、前記第１及び第２の係止部のうち一方は、前記回路基板における前記第１の破断容易部と前記第２の破断容易部とに挟まれた領域で前記回路基板を係止し、前記第１及び第２の係止部のうち他方は、前記回路基板における、前記第１の破断容易部を挟んで前記領域とは反対側の部分、及び前記第２の破断容易部を挟んで前記領域とは反対側の部分で前記回路基板を係止することを特徴としている。
【００１１】
この構成によれば、回路基板が収容された容体が蓋体によって閉蓋された状態、すなわち回路ユニットが組み立てられた状態では、容体は、第１の係止部によって、回路基板における第１の破断容易部と第２の破断容易部とで挟まれた領域、及びその領域の両側のうちいずれかを係止する。また、蓋体は、第２の係止部によって、回路基板における第１の破断容易部と第２の破断容易部とで挟まれた領域、及びその領域の両側のうち、第１の係止部により係止されていない部分が係止される。そして、容体から蓋体を取り外すと、回路基板における第１の破断容易部と第２の破断容易部とで挟まれた領域と、その領域の両側とは、第１の係止部と第２の係止部とによって異なる方向に引っ張られる。そうすると、回路基板の強度が低下されている第１、第２の破断容易部において回路基板が破断するので、回路基板の再利用を抑制することができる。
【００１２】
また、上述の回路ユニットにおいて、前記第２の破断容易部は、前記回路を構成する配線を横切って形成されていることを特徴としている。
【００１３】
この構成によれば、容体から蓋体を取り外すと、回路を構成する配線を横切って回路基板が破断するので、回路基板は電気的に動作しない状態となり、回路基板の再利用を抑制することができる。
【００１４】
また、上述の回路ユニットにおいて、前記第１の破断容易部は、複数の孔がミシン目状に形成されたものであることを特徴とする。この構成によれば、第１の破断容易部において回路基板の強度が低下される。
【００１５】
また、上述の回路ユニットにおいて、前記第１の破断容易部は、当該第１の破断容易部の両側よりも前記回路基板の厚みが減少されたものであることを特徴としている。この構成によれば、第１の破断容易部において回路基板の強度が低下される。
【００１６】
そして、本発明に係る電池パックは、上述のいずれかに記載の回路ユニットを用いた電池パックであって、二次電池をさらに備え、前記回路は、前記二次電池の充電及び／又は放電を行うことを特徴としている。
【００１７】
この構成によれば、容体から蓋体を取り外すと、二次電池の充電及び／又は放電を行う回路基板が破断するので、電池パックにおける回路基板の再利用を抑制することができる。
【発明の効果】
【００１８】
このような構成の回路ユニット及び電池パックは、容体から蓋体を取り外すと回路基板が破断するので、回路基板の再利用を抑制することができる。
【発明を実施するための最良の形態】
【００１９】
以下、本発明に係る実施形態を図面に基づいて説明する。なお、各図において同一の符号を付した構成は、同一の構成であることを示し、その説明を省略する。
【００２０】
（第１実施形態）
図１は、本発明の第１の実施形態に係る電池パックの構成の一例を示す回路図である。図１に示す電池パック１は、保護回路２と、二次電池３とを備えている。二次電池３は、例えばリチウムイオン二次電池、リチウムポリマー二次電池、ニッケル水素二次電池、あるいはニッケルカドミウム二次電池等の充電可能な二次電池である。このような二次電池は、過剰に充電されたり放電電流が過大になったりすると、サイクル寿命等の特性が劣化したり、電池の膨張や変形等を招いたりする場合がある。そこで、電池パック１は、二次電池３を過剰な充電や、過大な放電電流から保護する保護回路２を備えている。
【００２１】
保護回路２は、外部接続端子４，５と、ＦＥＴ（Field Effect Transistor）６，７と、基準電圧源８，９と、コンパレータ１０，１１と、抵抗１２と、論理回路１３と、接続端子１４，１５とを備えている。
【００２２】
外部接続端子４，５は、二次電池３を充電するための充電装置を接続したり、二次電池３からの放電電流により駆動される携帯電話機やデジタルカメラ等のモバイル機器、電動工具、ロボット、電動自転車等の駆動用電源を接続したりするための接続端子である。接続端子１４は、二次電池３の＋極であり、接続端子１５は、二次電池３の−極である。そして、外部接続端子４は、配線Ｌ１、接続端子１４を介して二次電池３に接続され、外部接続端子５は、配線Ｌ２、ＦＥＴ７、配線Ｌ３、ＦＥＴ６、接続端子１５を介して二次電池３に接続されている。
【００２３】
ＦＥＴ６は、寄生ダイオードのアノードが二次電池３側になる方向にされており、ＦＥＴ７は、寄生ダイオードのアノードが外部接続端子５側になる方向にされている。そして、ＦＥＴ６は、二次電池３の放電電流が過大になった場合に放電電流を遮断する過放電保護用のスイッチとして用いられ、ＦＥＴ７は、二次電池３が過充電になった場合に充電電流を遮断する過充電保護用のスイッチとして用いられる。
【００２４】
また、接続端子１４がコンパレータ１０の＋端子に接続され、基準電圧源８から出力された基準電圧Ｖｒｅｆ１がコンパレータ１０の−端子に印加され、コンパレータ１０の出力端子が配線Ｌ４を介して論理回路１３に接続されている。基準電圧Ｖｒｅｆ１としては、二次電池３の過充電を検出するための電圧が設定されている。そして、コンパレータ１０は、外部接続端子４，５に接続された図略の充電装置によって二次電池３が充電され、二次電池３の端子電圧が基準電圧Ｖｒｅｆ１を超えると、過充電を示す検知信号を配線Ｌ４を介して論理回路１３へ出力するようになっている。
【００２５】
また、ＦＥＴ６とＦＥＴ７との接続点が、抵抗１２を介してコンパレータ１１の−端子に接続され、基準電圧源９から出力された基準電圧Ｖｒｅｆ２がコンパレータ１１の＋端子に印加されている。これにより、二次電池３からの放電電流がＦＥＴ６を流れ、ＦＥＴ６のオン抵抗により生じた電圧降下が抵抗１２を介してコンパレータ１１の−端子へ印加される。また、基準電圧Ｖｒｅｆ２は、例えば二次電池３の特性劣化を招かない範囲での最大の放電電流がＦＥＴ６を流れた場合にＦＥＴ６のオン抵抗で生じる電圧降下に相当する電圧が設定されている。
【００２６】
そして、コンパレータ１１は、例えば外部接続端子４，５が、金属片に接触したり、外部接続端子４，５に接続された負荷機器が故障したりすること等によって短絡し、二次電池３から過大な放電電流が流れると、ＦＥＴ６における電圧降下の上昇を検知して過電流の放電を示す検知信号を、配線Ｌ５を介して論理回路１３へ出力するようになっている。
【００２７】
論理回路１３は、コンパレータ１０から過充電を示す検知信号が出力されると、二次電池３の充電を停止させるべく制御信号を、配線Ｌ６を介してＦＥＴ７のベースへ出力することによりＦＥＴ７をオフさせ、コンパレータ１１から過電流の放電を示す検知信号が出力されると、二次電池３の放電を停止させるべく制御信号を、配線Ｌ７を介してＦＥＴ６のベースへ出力することによりＦＥＴ６をオフさせる。これにより、保護回路２は、二次電池３を、過剰な充電や過電流の放電から保護するようになっている。
【００２８】
図２は、本発明の第１の実施形態に係る電池パック１の構成の一例を示す分解斜視図である。図２に示す電池パック１は、例えばガラスエポキシや紙フェノール等からなる基板１６に、図１に示す保護回路２が形成された回路基板２１と、接続端子１４，１５によって回路基板２１と接続された二次電池３と、保護回路２及び二次電池３を収容する上部が開口された略箱状の容体２２と、容体２２の開口部を閉蓋する蓋体２３とを備えて構成されている。
【００２９】
回路基板２１には、配線Ｌ１，Ｌ２を横切るように複数の貫通穴が略線状に形成されたミシン目１７が設けられている。ミシン目１７は、配線Ｌ１，Ｌ２を避けて貫通穴が形成され、貫通穴で配線Ｌ１，Ｌ２を切断しないようにされている。これにより、ミシン目１７における回路基板２１の強度が低下させられている。また、回路基板２１には、ミシン目１７から見て回路基板２１の端部に近い位置に、蓋体２３を係止させるための開口部１８が設けられている。
【００３０】
容体２２は、その側壁２４から内側に向かって凸設された略楔形の係合部２０１，２０２と、側壁２４に接する他の側壁２５から内側に向かって凸設された略楔形の係合部２０３とを備えている。また、容体２２の底部には、例えば係合用の爪を備えた略板状の係合部２０４，２０５が容体２２の内側に向かって凸設されている。
【００３１】
そして、図２における破線で示すように、回路基板２１が容体２２上部の開口部から搬入され、容体２２に取り付けられると、回路基板２１の端部に係合部２０１，２０２，２０３，２０４，２０５が係合するようになっている。この場合、係合部２０１，２０２，２０３，２０４，２０５の係合位置が、回路基板２１における、ミシン目１７から見て開口部１８とは反対側となるように、係合部２０１，２０２，２０３，２０４，２０５が配置されている。
【００３２】
蓋体２３の天板には、例えば係合用の爪を備えた略板状の係合部２０６が容体２２側に向かって凸設されている。そして、係合部２０６は、回路基板２１が収容された容体２２に蓋体２３を取り付けると、係合部２０６が開口部１８に係合するようにされている。
【００３３】
この場合、係合部２０１，２０２，２０３，２０４，２０５は、第１の係止部の一例に相当し、係合部２０６は、第２の係止部の一例に相当している。なお、例えば係合部２０１，２０２，２０３，２０４，２０５を第２の係止部として蓋体２３に設け、係合部２０６を第１の係止部として容体２２に設けてもよい。
【００３４】
図３は、回路基板２１と、係合部２０１，２０２，２０３，２０４，２０５，２０６とが係合している状態の一例を示す外観斜視図である。図３において、図を見やすくするため係合部２０１，２０２，２０３，２０４，２０５，２０６以外の容体２２及び蓋体２３の図示を省略している。
【００３５】
図３（ａ）は、回路基板２１が収容された容体２２に蓋体２３が取り付けられて、電池パック１が組み立てられた状態において、回路基板２１と、係合部２０１，２０２，２０３，２０４，２０５，２０６とが係合している状態を示している。この状態で、図３（ｂ）に示すように、電池パック１を分解するべく容体２２から蓋体２３を矢印Ａ方向に取り外すと、回路基板２１におけるミシン目１７から見て開口部１８と反対側の部分は係合部２０１，２０２，２０３，２０４，２０５によって容体２２に固定され、回路基板２１におけるミシン目１７から見て開口部１８側の部分は、係合部２０６によって蓋体２３と共に矢印Ａ方向に引っ張られるため、ミシン目１７の両側で反対方向に力が加えられる。
【００３６】
そうすると、ミシン目１７によって回路基板２１の強度が低下させられているので、ミシン目１７で回路基板２１が破断する。また、ミシン目１７は、配線Ｌ１，Ｌ２を横切るように設けられているので、回路基板２１は、機械的に破壊されるのみならず、図１における波線Ｂで示す位置で配線Ｌ１，Ｌ２が断線して電気的にも動作しない状態となる。
【００３７】
これにより、回路基板２１を再利用しようとして容体２２から蓋体２３を取り外し、電池パック１を分解すると、回路基板２１がミシン目１７で破断して機械的に破壊され、電気的にも動作しない状態にされるので、回路基板２１の再利用を抑制することができる。
【００３８】
なお、係合部として、容体の側壁から内側に向かって凸設された略楔形のものや、係合用の爪を備えた略板状のものを用いる例を示したが、係合部は、容体２２及び蓋体２３に、回路基板２１の所定位置を係合させるものであればよく、例えば図４に示すように、係合部としてガイドレール２０７，２０８を用いてもよい。
【００３９】
図４に示す電池パック１ａは、容体２２ａにおける長手方向の側壁２４，２６の内側に、長手方向に回路基板２１をスライド可能に構成されたガイドレール２０７，２０８が設けられている。また、容体２２ａにおける短手方向の側壁のうち一方が設けられておらず、回路基板２１をガイドレール２０７，２０８にスライドさせて、容体２２ａに取り付けられるようにされている。この場合、基板１６の長手方向の端部をガイドレール２０７，２０８に接触させることができるように、二次電池３は、例えば回路基板２１の下部に取り付けられている。
【００４０】
蓋体２３ａは、容体２２ａにおける側壁が設けられていない部分を塞ぐ側壁２７をさらに備えている。
【００４１】
図５（ａ）は、回路基板２１ａが収容された容体２２ａに蓋体２３ｂが取り付けられて、電池パック１ａが組み立てられた状態において、回路基板２１ａと、ガイドレール２０７，２０８と、係合部２０６とが係合している状態を示している。図５において、図を見やすくするため係合部２０６以外の蓋体２３ａの図示を省略している。図５（ａ）に示すように、ガイドレール２０７，２０８は、回路基板２１ａにおけるミシン目１７から見て開口部１８と反対側の部分と係合するように配置されている。
【００４２】
この状態で、電池パック１ａを分解するべく容体２２ａから蓋体２３ａを矢印Ａ方向に取り外すと、図５（ｂ）に示すように、回路基板２１ａにおけるミシン目１７から見て開口部１８と反対側の部分はガイドレール２０７，２０８によって容体２２ａに固定され、回路基板２１におけるミシン目１７から見て開口部１８側の部分は、係合部２０６によって蓋体２３ａと共に矢印Ａ方向に引っ張られるため、ミシン目１７の両側で反対方向に力が加えられる。
【００４３】
これにより、図２に示す電池パック１の場合と同様、回路基板２１ａを再利用しようとして容体２２ａから蓋体２３ａを取り外し、電池パック１ａを分解すると、回路基板２１ａがミシン目１７で破断して機械的に破壊され、電気的にも動作しない状態にされるので、回路基板２１ａの再利用を抑制することができる。
【００４４】
なお、係合部は、容体及び蓋体にそれぞれ回路基板を係止することができればよく、例えば、容体及び蓋体に設けられた樹脂製のリブを、回路基板に設けた貫通穴に挿通し、リブの貫通穴から突出した部分を加熱、変形させて容体及び蓋体にそれぞれ回路基板を固定するものであってもよい。
【００４５】
（第２実施形態）
次に、本発明の第２の実施形態に係る電池パック１ｂについて説明する。図６は、本発明の第２の実施形態に係る電池パック１ｂの構成の一例を示す分解斜視図である。図６に示す電池パック１ｂと図２に示す電池パック１とでは、下記の点で異なる。すなわち、図６に示す電池パック１ｂでは、回路基板２１ｂにおけるＦＥＴ７と論理回路１３とが取り付けられている領域Ｄをミシン目１７との間に挟むように、配線Ｌ１，Ｌ３，Ｌ４，Ｌ５，Ｌ７を横切って、ミシン目１７と同様に形成されたミシン目１９を備えている。ミシン目１９は、配線Ｌ１，Ｌ３，Ｌ４，Ｌ５，Ｌ７を避けて貫通穴が形成され、貫通穴で配線Ｌ１，Ｌ３，Ｌ４，Ｌ５，Ｌ７を切断しないようにされている。これにより、ミシン目１９における回路基板２１ｂの強度が低下させられている。また、回路基板２１ｂには、開口部１８が設けられていない。
【００４６】
容体２２ｂは、その側壁２４から内側に向かって凸設された略楔形の係合部２０１，２０２，２１１と、側壁２５から内側に向かって凸設された略楔形の係合部２０３とを備えている。また、容体２２ｂの底部には、例えば係合用の爪を備えた略板状の係合部２０４，２０５，２１２が容体２２ｂの内側に向かって凸設されている。
【００４７】
そして、図６における破線で示すように、回路基板２１ｂが容体２２ｂ上部の開口部から搬入され、容体２２ｂに取り付けられると、回路基板２１ｂの端部に係合部２０１，２０２，２０３，２０４，２０５，２１１，２１２が係合するようになっている。この場合、係合部２０１，２０２，２０３，２０４，２０５の係合位置が、回路基板２１ｂにおける、ミシン目１９から見て領域Ｄと反対側になるように、係合部２０１，２０２，２０３，２０４，２０５が配置され、係合部２１１，２１２の係合位置が、回路基板２１ｂにおける、ミシン目１７から見て領域Ｄと反対側になるように、係合部２１１，２１２が配置されている。
【００４８】
また、容体２２ｂにおける側壁２４には、回路基板２１ｂが取り付けられた状態で、回路基板２１ｂにおける領域Ｄと接する位置に切り欠き２８が設けられている。
【００４９】
蓋体２３ｂは、係合部２０６の代わりに、容体２２ｂにおける切り欠き２８に嵌り込むように、蓋体２３ｂにおける端部に例えば係合用の爪を備えた略板状の係合部２０９が設けられている。また、蓋体２３ｂの天板には、例えば係合用の爪を備えた略板状の係合部２１０が容体２２ｂ側に向かって凸設されている。そして、係合部２０９，２１０は、回路基板２１ｂが収容された容体２２ｂに蓋体２３ｂを取り付けると、係合部２０９，２１０が回路基板２１ｂにおける領域Ｄの両端部に係合するようにされている。
【００５０】
この場合、係合部２０１，２０２，２０３，２０４，２０５，２１１，２１２は、第１の係止部の一例に相当し、係合部２０９，２１０は、第２の係止部の一例に相当している。
【００５１】
図７は、回路基板２１ｂと、係合部２０１，２０２，２０３，２０４，２０５，２０９，２１０，２１１，２１２とが係合している状態の一例を示す外観斜視図である。図７において、図を見やすくするため係合部２０１，２０２，２０３，２０４，２０５，２０９，２１０，２１１，２１２以外の容体２２ｂ及び蓋体２３ｂの図示を省略している。
【００５２】
図７（ａ）は、回路基板２１ｂが収容された容体２２ｂに蓋体２３ｂが取り付けられて、電池パック１ｂが組み立てられた状態において、回路基板２１ｂと、係合部２０１，２０２，２０３，２０４，２０５，２０９，２１０，２１１，２１２とが係合している状態を示している。この状態で、電池パック１ｂを分解するべく容体２２ｂから蓋体２３ｂを矢印Ａ方向に取り外すと、図７（ｂ）に示すように、回路基板２１ｂにおける領域Ｄの両側部分は係合部２０１，２０２，２０３，２０４，２０５と係合部２１１，２１２とによって容体２２ｂに固定され、回路基板２１ｂにおける領域Ｄの部分は、係合部２０９，２１０によって蓋体２３ｂと共に矢印Ａ方向に引っ張られるため、領域Ｄとその両側とで反対方向に力が加えられる。
【００５３】
そうすると、ミシン目１７，１９によって回路基板２１ｂの強度が低下させられているので、ミシン目１７，１９で回路基板２１ｂが破断して、三つに分割される。また、ミシン目１７は配線Ｌ１，Ｌ２を横切るように設けられ、ミシン目１９は配線Ｌ１，Ｌ３，Ｌ４，Ｌ５，Ｌ７を横切るように設けられているので、回路基板２１ｂは、機械的に破壊されるのみならず、図１における波線Ｂ，Ｃで示す位置で配線Ｌ１，Ｌ２，Ｌ３，Ｌ４，Ｌ５，Ｌ７が断線して電気的にも動作しない状態となる。
【００５４】
また、ミシン目１７のみによって回路基板２１を破断させ、二つに分割する場合よりも回路基板２１ｂの機械的な破断の程度、および配線の断線の程度が増大されるので、回路基板２１ｂを修復して再利用することの困難性が増大される。
【００５５】
これにより、回路基板２１ｂを再利用しようとして容体２２ｂから蓋体２３ｂを取り外し、電池パック１ｂを分解すると、回路基板２１ｂがミシン目１７，１９で破断して機械的に破壊され、電気的にも動作しない状態にされるので、回路基板２１ｂの再利用を抑制することができる。
【００５６】
なお、第１、第２の破断容易部は、回路基板の強度を低下させるものであればよく、ミシン目構造に限らない。例えば、図８に示すように、ミシン目１７，１９の代わりに、回路基板２１，２１ａ，２１ｂの裏面を例えばＶ字型に切削して基板の厚みを減少させたいわゆるＶカット１７ａ，１９ａを形成してもよく、その他の方法により回路基板の強度を低下させてもよい。
【００５７】
図９は、図８に示すＶカット１７ａ，１９ａを基板１６の端面から見た拡大図である。図９（ａ）はＶカット１７ａ，１９ａを基板１６の下面に形成した例であり、図９（ｂ）はＶカット１７ａ，１９ａを基板１６の上面に形成した例である。ミシン目１７，１９を用いて基板１６の強度を低下させた場合には、配線を避けて貫通穴を形成する必要があるので、ミシン目１７，１９を横切る配線が増加すると貫通穴の間隔を増大する必要があり、ミシン目１７，１９で基板１６が破断し難くなるおそれがある。一方、Ｖカット１７ａ，１９ａの場合には、基板１６におけるＶカット１７ａ，１９ａが形成されていない側の表面上には自由に配線を形成することができるので、配線の自由度を確保しつつ基板１６の強度を低下させることが容易となる。
【産業上の利用可能性】
【００５８】
筐体内に回路基板が収容された回路ユニット、及びこのような回路ユニットが二次電池を備えて構成された電池パックにおいて、回路基板の再利用を抑制することができる。
【図面の簡単な説明】
【００５９】
【図１】本発明の第１の実施形態に係る電池パックの構成の一例を示す回路図である。
【図２】本発明の第１の実施形態に係る電池パックの構成の一例を示す分解斜視図である。
【図３】図２に示す回路基板と、係合部とが係合している状態の一例を示す外観斜視図である。
【図４】図２に示す電池パックの構成の他の一例を示す分解斜視図である。
【図５】図４に示す回路基板と、係合部とが係合している状態の一例を示す外観斜視図である。
【図６】本発明の第２の実施形態に係る電池パックの構成の一例を示す分解斜視図である。
【図７】図６に示す回路基板と、係合部とが係合している状態の一例を示す外観斜視図である。
【図８】第１、第２の破断容易部の他の一例を示す斜視図である。
【図９】図８に示すＶカットの拡大図である。
【符号の説明】
【００６０】
１，１ａ，１ｂ  電池パック
２  保護回路
３  二次電池
１６  基板
１７，１９  ミシン目
１７ａ，１９ａ  Ｖカット
１８  開口部
２１，２１ａ，２１ｂ  回路基板
２２，２２ａ，２２ｂ  容体
２３，２３ａ，２３ｂ  蓋体
２４，２５，２６，２７  側壁
２０１〜２０６，２０９〜２１２  係合部
２０７，２０８  ガイドレール
Ｄ  領域
Ｌ１〜Ｌ７  配線
【図１】
2007165453.tif 000003
【図２】
2007165453.tif 000004
【図３】
2007165453.tif 000005
【図４】
2007165453.tif 000006
【図５】
2007165453.tif 000007
【図６】
2007165453.tif 000008
【図７】
2007165453.tif 000009
【図８】
2007165453.tif 000010
【図９】
2007165453.tif 000011